(57)【要約】【課題】  アンテナの位置を安定させることができるとともに、組み立ての際の作業効率の向上を図ることが可能なラジオ付液晶表示装置を提供する。 【解決手段】  液晶パネル２０ａを被覆している金属ケ−ス２０ｂの周面に、断面視Ｕ字状の溝部２０ｂ１が形成されており、放送電波を受信するアンテナ２１は、溝部２０ｂ１に嵌められた状態で金属ケ−ス２０ｂの周面に巻き付けられている。これにより、本体ケ−スに液晶表示部２０を組み込む際に、アンテナを後から配置させる工程が不要となる。その結果、組み立ての際の作業効率の向上を図ることができる。また、液晶表示部２０にアンテナ２１が巻き付けられた状態で液晶表示部２０を本体ケ−スに組み込むようにすると、アンテナ２１の位置がずれることもなくなるため、アンテナの指向性が変化してしまうことを防止することが可能となる。【選択図】図４
2006093848.tif 000002
【特許請求の範囲】
【請求項１】
テレビジョン放送電波、および、ＦＭラジオ放送電波を受信するワイヤ状のアンテナと、映像が表示される液晶表示部と、音声が出力されるスピ−カと、上記アンテナにより受信されたテレビジョン放送電波に基づく映像を上記液晶表示部に表示させる処理を行うテレビ部と、上記アンテナにより受信されたＦＭラジオ放送電波に基づく音声を上記スピ−カに出力させる処理を行うラジオ部とを具備するラジオ付液晶表示装置において、
上記液晶表示部は、少なくとも液晶パネルの周面を被覆するように設けられたケ−スを具備し、
上記ケ−スにおける上記液晶パネルの周面を被覆している部分には溝部が形成され、
上記アンテナは、上記溝部に嵌められた状態で上記液晶表示部の周面に沿って巻き付けられており、
上記溝部における上記液晶パネルの４角に対応する部分には、面取りが施されていることを特徴とするラジオ付液晶表示装置。
【請求項２】
テレビジョン放送電波、および、ラジオ放送電波を受信するワイヤ状のアンテナと、映像が表示される液晶表示部と、音声が出力されるスピ−カと、上記アンテナにより受信されたテレビジョン放送電波に基づく映像を上記液晶表示部に表示させる処理を行うテレビ部と、上記アンテナにより受信されたラジオ放送電波に基づく音声を上記スピ−カに出力させる処理を行うラジオ部とを具備するラジオ付液晶表示装置において、
上記アンテナは、上記液晶表示部の周面に沿って巻き付けられていることを特徴とするラジオ付液晶表示装置。
【請求項３】
上記液晶表示部は、少なくとも液晶パネルの周面を被覆するように設けられたケ−スを具備し、
上記ケ−スにおける上記液晶パネルの周面を被覆している部分には溝部が形成され、
上記アンテナは、上記溝部に嵌められて巻き付けられていることを特徴とする請求項２に記載のラジオ付液晶表示装置。
【請求項４】
上記溝部における上記液晶パネルの４角に対応する部分には、面取りが施されていることを特徴とする請求項３に記載のラジオ付液晶表示装置。
【請求項５】
上記ケ−スは、金属ケ−スであることを特徴とする請求項３または４に記載のラジオ付液晶表示装置。
【請求項６】
上記ケ−スは、樹脂ケ−スであることを特徴とする請求項３または４に記載のラジオ付液晶表示装置。
【請求項７】
上記ラジオ部は、上記アンテナにより受信されるＦＭラジオ放送電波に基づく音声を上記スピ−カに出力させることを特徴とする請求項２〜６のいずれか１に記載のラジオ付液晶表示装置。
【発明の詳細な説明】
【技術分野】
【０００１】
本発明は、テレビジョン放送の受信とラジオ放送の受信とを行うことが可能なラジオ付液晶表示装置に関するものである。
【背景技術】
【０００２】
従来、液晶パネルを具備する液晶表示部の周縁にアンテナを配置している表示装置が知られている（例えば、特許文献１、２参照）。このような表示装置によれば、液晶表示部の周縁にアンテナが配置されているため、アンテナの指向性が向上し、あらゆる角度からの放送電波を好適に受信することが可能となる。
図６は、従来の表示装置について、アンテナが取り付けられている様子を示す図である。同図において、表示装置の本体ケ−ス３に内周面に沿って、アンテナ１を係止するためのリブ５が所定間隔をあけて複数設けられており、アンテナ１は、複数のリブ５の各々に係止されることにより、本体ケ−ス３の内周面に沿って配置されることとなる。そして、液晶パネルを具備する液晶表示部（図示せず）が本体ケ−ス３内に嵌め込まれたときには、同液晶表示部の周縁にアンテナ１が配置されるのである。
【特許文献１】特開平６−１３３２５４号公報
【特許文献２】特開平９−１９１４３９号公報
【発明の開示】
【発明が解決しようとする課題】
【０００３】
しかしながら、上述した従来の表示装置では、製造の際、リブ５にアンテナ１を係止させつつ、本体ケ−スの内周面に沿ってアンテナを配置させる作業が手間のかかるものであり、また、アンテナを内周面の配置させた後、アンテナの位置を固定したまま液晶表示部を嵌め込む作業が困難なものであるため、組み立ての際の作業効率が悪いものであった。また、アンテナ１を単にリブ５に係止させているだけであるため、アンテナ１が緩み易く、その結果、アンテナ１の指向性が変化してしまうという問題がある。
【０００４】
本発明は、かかる実情に鑑み、アンテナの位置を安定させることができるとともに、組み立ての際の作業効率の向上を図ることが可能なラジオ付液晶表示装置を提供しようとするものである。
【課題を解決するための手段】
【０００５】
上記目的を達成するため、請求項２にかかる発明は、テレビジョン放送電波、および、ラジオ放送電波を受信するワイヤ状のアンテナと、映像が表示される液晶表示部と、音声が出力されるスピ−カと、上記アンテナにより受信されたテレビジョン放送電波に基づく映像を上記液晶表示部に表示させる処理を行うテレビ部と、上記アンテナにより受信されたラジオ放送電波に基づく音声を上記スピ−カに出力させる処理を行うラジオ部とを具備するラジオ付液晶表示装置において、
上記アンテナは、上記液晶表示部の周面に沿って巻き付けられている構成としてある。
【０００６】
上記のように構成した請求項２において、ラジオ付液晶表示装置は、テレビジョン放送電波およびラジオ放送電波を受信するワイヤ状のアンテナと、映像が表示される液晶表示部と、音声が出力されるスピ−カと、上記アンテナにより受信されたテレビジョン放送電波に基づく映像を上記液晶表示部に表示させる処理を行うテレビ部と、上記アンテナにより受信されたラジオ放送電波に基づく音声を上記スピ−カに出力させるラジオ部とを具備している。
【０００７】
そして、請求項２にかかるラジオ付液晶表示装置では、ワイヤ状の上記アンテナは、上記液晶表示部の周面に沿って巻き付けられている。このように構成することにより、予め液晶表示部の周面にアンテナを固定しておくことが可能となり、本体ケ−スに液晶表示部を組み込む際に、後からアンテナを配置させる工程が不要となる。その結果、組み立ての際の作業効率の向上を図ることができる。また、予めアンテナが巻き付けられた液晶表示部を本体ケ−スに組み込むようにすると、アンテナの位置がずれることもなくなるため、アンテナの指向性が変化してしまうことを防止することが可能となる。
【０００８】
また、請求項３にかかる発明は、上記液晶表示部が、少なくとも液晶パネルの周面を被覆するように設けられたケ−スを具備し、
上記ケ−スにおける上記液晶パネルの周面を被覆している部分には溝部が形成され、
上記アンテナが、上記溝部に嵌められて巻き付けられている構成としてある。
上記のように構成した請求項３において、溝部にアンテナが嵌められた状態で、アンテナが巻き付けられることにより、アンテナの位置をより安定させることが可能となる。
【０００９】
また、請求項４にかかる発明は、上記溝部における上記液晶表示部の４角に対応する部分には、面取りか施されていることを特徴とする。
上記のように構成した請求項４において、液晶表示部の角部に巻き付けられたアンテナが損傷してしまうことを防止することが可能となる。
【００１０】
また、請求項５にかかる発明は、上記ケ−スが、金属ケ−スである構成としてある。
上記のように構成した請求項５において、金属ケ−スにより液晶パネルを保護することが可能となる。
【００１１】
また、請求項６にかかる発明は、上記ケ−スが樹脂ケ−スである構成としてある。
上記のように構成した請求項６において、樹脂ケ−スにより液晶パネルを保護することが可能となる。
【００１２】
また、請求項７にかかる発明は、上記ラジオ部が、上記アンテナにより受信されるＦＭラジオ放送電波に基づく音声を上記スピ−カに出力させる構成としてある。
上記のように構成した請求項７において、高品質のラジオ放送を出力することが可能となる。
【発明の効果】
【００１３】
本発明の請求項２にかかる発明では、組み立ての際の作業効率の向上を図ることができるとともに、アンテナの位置がずれて指向性が変化してしまうことを防止することが可能となる。
請求項３にかかる発明では、アンテナの位置をより安定せることが可能となる。
請求項４にかかる発明では、アンテナが角部で損傷してしまうことを防止することが可能となる。
請求項５にかかる発明では、金属ケ−スにより液晶パネルを保護することが可能となる。
請求項６にかかる発明では、樹脂ケ−スにより液晶パネルを保護することが可能となる。
請求項７にかかる発明では、高品質のラジオ放送を出力することが可能となる。
【発明を実施するための最良の形態】
【００１４】
ここでは、下記の順序に従って本発明の実施の形態について説明する。
（１）実施形態：
（２）各種変形例：
（３）まとめ：
【００１５】
（１）実施形態：
以下、本発明の実施形態について図面に基づいて説明する。
図１は、本発明にかかるラジオ付液晶表示装置を模式的に示す外観図である。同図において、ラジオ付液晶表示装置１０の本体の前面側を示しており、後述する液晶表示部２０（図示せず）の表示画面１１が略中央に設けられている。
【００１６】
また、本体の右側には、上から順に、スピ−カ１６、選局スイッチ１２、チュ−ナ切替スイッチ１３、ボリュ−ムスイッチ１４がそれぞれ設けられている。スピ−カ１６は、テレビジョン放送電波、または、ＦＭラジオ放送電波の受信中に、放送電波に基づく音声を出力するためのものである。また、選局スイッチ１２は、テレビジョン放送またはＦＭラジオ放送の受信中に選局を行うためのものである。また、チュ−ナ切替スイッチ１３は、テレビジョン放送およびＦＭラジオ放送のいずれか一方を受信する切替を行うためのものである。さらに、ボリュ−ムスイッチ１４は、スピ−カ１６から出力される音量を調節するためのものである。なお、上述した選局スイッチ１２、チュ−ナ切替スイッチ１３およびボリュ−ムスイッチ１４を総じてスイッチ部１５ということとする。
【００１７】
図２は、図１に示したラジオ付液晶表示装置の概略構成を示すブロック図である。同図において、ラジオ付液晶表示装置１０は、アンテナ端子２２と、アンテナ端子２２に接続されたアンテナ２７とを具備している。アンテナ２７は、後に説明するようにワイヤ状であり、液晶表示部２０の周面に巻き付けられて配置される。テレビジョン放送の受信中には、アンテナ２７から受信したテレビジョン放送電波は、アンテナ端子２２を介して、テレビ部２４を構成するテレビチュ−ナ２４ａに供給される。テレビチュ−ナ２４ａでは、後述するマイクロコンピュ−タ２３からの選局制御信号を受けて、入力されたテレビジョン放送電波から所望の周波数帯の放送電波を抽出することにより、複数の受信チャンネルのなかから一の受信チャネルを選択する。
【００１８】
テレビチュ−ナ２４ａの出力は、テレビ部２４を構成する映像再生回路２４ｂに供給される。映像再生回路２４ｂは、アナログＩ／Ｆ、復調回路、ＮＴＳＣデコ−ダ等を含み、テレビチュ−ナ２４ｂから入力された映像信号に対して各種の処理を行う。映像再生回路２４ｂにて処理が行われた映像信号は、液晶表示部２０に入力され、液晶表示部２０には、同映像信号に基づく映像が表示される。
【００１９】
一方、ＦＭラジオ放送の受信中には、アンテナ２７から受信したＦＭラジオ放送電波は、アンテナ端子２２を介して、ラジオ部を構成するＦＭチュ−ナ２５ａに供給される。ＦＭチュ−ナ２５ａでは、図１に示した選局スイッチ１２の操作に基づいて出力されるマイクロコンピュ−タ２３からの選局制御信号を受けて、同操作に対応する周波数帯の放送電波を抽出する。ＦＭチュ−ナ２５ａの出力は、ラジオ部２５を構成する音声再生回路２５ｂに供給される。音声再生回路２５ｂは、復調回路、増幅回路等を含み、ＦＭチュ−ナ２５ａから入力された音声信号に対して各種の処理を行う。音声再生回路２５ｂにて処理が行われた音声信号は、スピ−カ１６に入力され、スピ−カ１６には、同音声信号に基づく音声が出力される。
【００２０】
上述したテレビチュ−ナ２４ａおよび映像再生回路２４ｂからなるテレビ部２４、並びに、ＦＭチュ−ナ２５ａおよび音声再生回路２５ｂからなるラジオ部２５ｂは、それぞれマイクロコンピュ−タ２３に接続されている。マイクロコンピュ−タ２３は、ＣＰＵ、ＲＯＭ、ＲＡＭ等を具備し、スイッチ部１５の操作に応じてテレビ部２４およびラジオ部２４の動作を主導的に制御する。具体的には、例えば、チュ−ナ切替スイッチ１３が、テレビからラジオに切り替えられたことを受けて、アンテナ２７により受信されたＦＭラジオ放送電波がＦＭチュ−ナに入力されるように切り替えるとともに、同放送電波に基づく音声をスピ−カ１６に出力させるための各種の処理をラジオ部２５に行わせる。
【００２１】
図３は、図２に示した液晶表示部２０を模式的に示す分解斜視図である。同図において、液晶表示部２０は、液晶パネル２０ａと、金属ケ−ス２０ｂと、裏面シャ−シ２０ｃと、絶縁シ−ト２０ｄとからなる。液晶パネル２０ａは、液晶とスペ−サとからなる液晶層、透明電極、Ｒ、Ｇ、Ｂの３色のカラ−フィルタ、偏光板およびバックライト等を具備する構成となっている。金属ケ−ス２０ｂには、断面視Ｕ字状の溝部２０ｂ１が、周面に沿って形成されている。この溝部２０ｂ１には、金属ケ−ス２０ｂの周面に巻き付けられるアンテナ２７が嵌められる。また、金属ケ−ス２０ｂは、液晶パネル２０ａの前面側（図３においては下側）に設けられ、液晶パネル２０ａに表示される画像を前方より視認可能とするための窓部が形成されている。
【００２２】
また、裏面シャ−シ２０ｃは、金属製であり、液晶パネル２０ａの裏側（図３においては上側）に設けられる。裏面シャ−シ２０ｃの左右両側部には、絶縁シ−ト２０ｄが設けられる。この絶縁シ−トは、液晶表示部２０が組み立てられたときに、裏面シャ−シ２０ｃの左右両側部と、金属ケ−ス２０ｂの内側の左右両側部との間に介装されるものであり、裏面シャ−シ２０ｃと金属ケ−ス２０ｂとを絶縁するためのものである。
【００２３】
図４は、液晶表示部２０の周面にアンテナ２７が巻き付けられた様子を示す斜視図であり、図５は、図４に示した液晶表示部２０の角部の拡大図である。図４に示すように、液晶表示部２０の裏面シャ−シ２０ｃには、回路基板３１、３２が設けられている。この回路基板３１、３２には、図２に示した各部、各回路が配設される。回路基板３１には、図２に示したアンテナ端子２２が設けられており、このアンテナ端子２２に接続されたアンテナ２７は、金属ケ−ス２０ｂの周面に形成された断面視Ｕ字状の溝部２０ｂ１に嵌められた状態で、同周面に巻き付けられている。本実施形態では、溝部２０ｂ１に接着剤が塗布されており、同接着剤により、アンテナ２７が金属ケ−ス２０ｂの周面に固定される。
また、図５に示すように、溝部２０ｂ１の角部２０ｂ２には、面取りが施されており、これにより、巻き付けられたアンテナ２７の損傷を防止することが可能となる。
【００２４】
（３）各種変形例：
実施形態では、金属ケ−スの周面に沿って断面視Ｕ字状の溝部が形成されている場合について説明したが、溝部の形状としては特に限定されるものではなく、例えば、断面視コの字状や、断面視Ｖ字状の溝部であってもよい。
本発明において、液晶表示部の周面に沿ってアンテナを巻き付ける方法としては特に限定されるものではなく、実施形態のように接着剤を用いる方法の他、止め具を用いて固定する方法等を挙げることができる。
また、本発明において、必ずしもアンテナを嵌め込むための溝部が形成されている必要はなく、液晶表示部の周面が平坦となっており、同周面にアンテナを巻き付けた後、止めた具等により固定する方法を用いてもよい。
【００２５】
また、本発明において、アンテナは、液晶表示部の周面全体に巻き付けられている必要はなく、一部に巻き付けられていてもよい。例えば、液晶表示部の４辺のうちの、上辺、左辺および右辺の３辺に巻き付けられていてもよい。
また、実施形態では、液晶パネル２０ａの周面を被覆するように金属ケ−スが設けられている場合について説明したが、金属ケ−スの代わりに樹脂ケ−スを用いてもよい。
【００２６】
また、実施形態では、ラジオ部が、ＦＭラジオ放送電波に基づく音声信号を生成するものである場合について説明したが、上記ラジオ部は、ＡＭ放送電波に基づく音声信号を生成可能なように構成されていてもよく、ＦＭラジオ放送電波とＡＭ放送電波の両方に対応しているものであってもよい。
【００２７】
以上説明したように、実施形態にかかるラジオ付液晶表示装置１０によれば、液晶パネル２０ａを被覆している金属ケ−ス２０ｂの周面に、断面視Ｕ字状の溝部２０ｂ１が形成されており、放送電波を受信するアンテナ２１は、溝部２０ｂ１に嵌められた状態で金属ケ−ス２０ｂの周面に巻き付けられている。これにより、本体ケ−スに液晶表示部２０を組み込む際に、アンテナを後から配置させる工程が不要となる。その結果、組み立ての際の作業効率の向上を図ることができる。また、液晶表示部２０にアンテナ２１が巻き付けられた状態で液晶表示部２０を本体ケ−スに組み込むようにすると、アンテナ２１の位置がずれることもなくなるため、アンテナの指向性が変化してしまうことを防止することが可能となる。
【図面の簡単な説明】
【００２８】
【図１】本発明にかかるラジオ付液晶表示装置を示す外観図である。
【図２】ラジオ付液晶表示装置の概略構成を示すブロック図である。
【図３】液晶表示部を模式的に示す分解斜視図である。
【図４】液晶表示部の周面にアンテナが巻き付けられた様子を示す斜視図である。
【図５】図４に示した液晶表示部の角部の拡大図である。
【図６】従来技術の表示装置においてアンテナが取り付けられている様子を示す図である。
【符号の説明】
【００２９】
１０…ラジオ付液晶表示装置
１１…表示画面
１２…選局スイッチ
１３…チュ−ナ切替スイッチ
１４…ボリュ−ムスイッチ
１５…スイッチ部
２０…液晶表示部
２０ａ…液晶パネル
２０ｂ…金属ケ−ス
２０ｃ…裏面シャ−シ
２２…アンテナ端子
２３…マイクロコンピュ−タ
２４…テレビ部
２４ａ…テレビチュ−ナ
２４ｂ…映像再生回路
２５…ラジオ部
２５ａ…ＦＭチュ−ナ
２５ｂ…音声再生回路
２７…アンテナ
【図１】
2006093848.tif 000003
【図２】
2006093848.tif 000004
【図３】
2006093848.tif 000005
【図４】
2006093848.tif 000006
【図５】
2006093848.tif 000007
【図６】
2006093848.tif 000008